(57)【要約】      （修正有）【課題】不良発生が抑制されるとともに、エネルギー密度が確保され、生産性が高い蓄電装置、およびこの蓄電装置を搭載した車両を提供する。【解決手段】電極体と、電極体を収納するケースとを備えており。電極体は、シート状のセパレータと、セパレータを介して対向位置に形成された正極シートおよび負極シートとが積層形成されている。積層方向に垂直な方向の断面に、ケースは内壁の角部を複数有し、ケースの内壁の角部の少なくともいずれか一つに負極シートの角部が配置されている。負極シートの角部が配置されたケースの内壁の角部の曲率半径がＲであり、ケースの内壁の角部に配置された負極シートの角部の曲率半径がｒ１であり、負極シートの角部が配置されたケースの内壁の角部の周りにおける負極シートの直線部とケースの内壁の直線部とのクリアランスがａである場合に、下記式（１）をみたしている。０．９（ｒ１＋ａ）≦Ｒ≦１．１（ｒ１＋ａ）…（１）【選択図】図３
2013134881.tif 000002
【特許請求の範囲】
【請求項１】
電極体と、前記電極体を収納するケースとを備えた蓄電装置であって、
前記電極体は、シート状のセパレータと、前記セパレータを介して対向する位置に形成された正極シートおよび負極シートとが積層されて形成されており、
積層方向に垂直な方向の断面において、前記ケースは内壁の角部を複数有し、
前記ケースの内壁の角部の少なくともいずれか一つに前記負極シートの角部が配置され、
前記負極シートの角部が配置された前記ケースの内壁の角部の曲率半径がＲであり、
前記ケースの内壁の角部に配置された前記負極シートの角部の曲率半径がｒ１であり、
前記負極シートの角部が配置された前記ケースの内壁の角部の周りにおける前記負極シートの直線部と前記ケースの内壁の直線部とのクリアランスがａである場合に、下記式（１）をみたしている、蓄電装置。
０．９（ｒ１＋ａ）≦Ｒ≦１．１（ｒ１＋ａ）……  （１）
【請求項２】
前記負極シートの角部が配置された前記ケースの内壁の角部に前記正極シートの角部が配置され、
前記ケースの内壁の角部に配置された前記正極シートの角部の曲率半径がｒ２であり、
前記負極シートの角部及び正極シートの角部が配置された前記ケースの内壁の角部の周りにおける前記正極シートの直線部と前記負極シートの直線部とのクリアランスがｂである場合に、下記式（２）をさらにみたしている、請求項１に記載の蓄電装置。
０．９（ｒ２＋ｂ）≦ｒ１≦１．１（ｒ２＋ｂ）……  （２）
【請求項３】
前記負極シートの角部が配置された前記ケースの内壁の角部に前記セパレータの角部が配置され、
前記ケースの内壁の角部に配置された前記セパレータの角部の曲率半径がｒ３であり、
前記負極シートの角部が配置された前記ケースの内壁の角部の周りにおける前記セパレータの直線部と前記ケースの内壁の直線部とのクリアランスがｃである場合に、下記式（３）をさらにみたしている、請求項１または２に記載の蓄電装置。
０．９（ｒ３＋ｃ）≦Ｒ≦１．１（ｒ３＋ｃ）……  （３）
【請求項４】
電極体と、前記電極体を収納するケースとを備えた蓄電装置であって、
前記電極体は、シート状のセパレータと、前記セパレータを介して対向する位置に形成された正極シートおよび負極シートとが積層されて形成されており、
積層方向に垂直な方向の断面において、前記ケースは内壁の角部を複数有し、
前記ケースの内壁の角部のうちいずれか２つの隣り合う角部に前記負極シートの角部がそれぞれ配置され、
前記負極シートの角部が配置された前記ケースの内壁の角部の曲率半径がＲであり、
前記ケースの内壁の角部に配置された前記負極シートの角部の曲率半径がｒ１であり、
前記隣り合う方向における前記ケースの内壁間の距離がＷであり、
前記隣り合う方向における前記負極シートの幅がｗ１である場合に、下記式（４）をみたしている、蓄電装置。
０．９（ｒ１＋（Ｗ−ｗ１）／２）≦Ｒ≦１．１（ｒ１＋（Ｗ−ｗ１）／２）
……  （４）
【請求項５】
前記負極シートの角部が配置された前記ケースの内壁の角部に前記正極シートの角部が配置され、
前記ケースの内壁の角部に配置された前記正極シートの角部の曲率半径がｒ２であり、
前記隣り合う方向における前記正極シートの幅がｗ２である場合に、下記式（５）をさらにみたしている、請求項４に記載の蓄電装置。
０．９（ｒ２＋（ｗ１−ｗ２）／２）≦ｒ１≦１．１（ｒ２＋（ｗ１−ｗ２）／２）
……  （５）
【請求項６】
前記負極シートの角部が配置された前記ケースの内壁の角部に前記セパレータの角部が配置され、
前記ケースの内壁の角部に配置された前記セパレータの角部の曲率半径がｒ３であり、
前記隣り合う方向における前記セパレータの幅がｗ３である場合に、下記式（６）をさらにみたしている、請求項４または５に記載の蓄電装置。
０．９（ｒ３＋（Ｗ−ｗ３）／２）≦Ｒ≦１．１（ｒ３＋（Ｗ−ｗ３）／２）
……  （６）
【請求項７】
前記電極体と、前記電極体を収納するケースにより二次電池が構成される、請求項１〜６のいずれか一項に記載の蓄電装置。
【請求項８】
請求項１〜７のいずれか一項に記載の蓄電装置を搭載した車両。
【発明の詳細な説明】
【技術分野】
【０００１】
本発明は、蓄電装置および蓄電装置を搭載した車両
に関する。
【背景技術】
【０００２】
特許文献１には、正極と負極とセパレータとを備えた電極体をケースに収納する蓄電装置が記載されている。この蓄電装置では、電極体の角部の曲率半径をケースの内壁の角部の曲率半径以上にする。これによって、電極体をケースに収納する際等にケースの内壁の角部と電極体の角部が接触してクラックや剥離が発生することを抑制している。
【先行技術文献】
【特許文献】
【０００３】
【特許文献１】特開２００２−２６０６００号公報
【発明の概要】
【発明が解決しようとする課題】
【０００４】
正極と負極とセパレータとを備えた電極体をケースに収納する蓄電装置においては、電極（正極または負極）とケースの内壁とのクリアランスを適切に調整する必要がある。電極とケースの内壁とのクリアランスは、蓄電装置の製造工程において、電極を積層して電極体とする際の積層公差や、電極幅の公差を加味した上で、蓄電装置の特性を確保できる値に設定される。特許文献１では、電極体の角部とケースの内壁の角部との接触を避けることを目的としており、電極とケースの内壁とのクリアランスを確保することを観念していない。電極とケースの内壁とのクリアランスが十分でない場合には、蓄電装置の不良発生の原因となる。逆に、クリアランスが過剰である場合には、ケース内のデッドスペースが多くなり、蓄電装置のエネルギー密度が低下する。
【課題を解決するための手段】
【０００５】
本明細書が開示する第１の蓄電装置は、電極体と、電極体を収納するケースとを備えている。電極体は、シート状のセパレータと、セパレータを介して対向する位置に形成された正極シートおよび負極シートとが積層されて形成されている。積層方向に垂直な方向の断面において、ケースは内壁の角部を複数有しており、ケースの内壁の角部の少なくともいずれか一つに負極シートの角部が配置されている。負極シートの角部が配置されたケースの内壁の角部の曲率半径がＲであり、ケースの内壁の角部に配置された負極シートの角部の曲率半径がｒ１であり、負極シートの角部が配置されたケースの内壁の角部の周りにおける負極シートの直線部とケースの内壁の直線部とのクリアランスがａである場合に、下記式（１）をみたしている。
０．９（ｒ１＋ａ）≦Ｒ≦１．１（ｒ１＋ａ）……  （１）
【０００６】
本発明者は、電極体のうち、負極シートとケースの内壁とのクリアランスを適切に調整することが、良好な特性を有する蓄電装置を生産性よく製造するために特に有用であることを見出した。上記の蓄電装置によれば、ケースの内壁の角部の少なくともいずれか一つに負極シートの角部が配置されており、その部分において、負極シートの角部の曲率半径ｒ１が、ケースの内壁の角部の曲率半径Ｒおよび負極シートの直線部とケースの直線部とのクリアランスａに対して上記式（１）をみたしている。負極シートの角部とケースの内壁の角部のクリアランスが適切な範囲に調整されているため、上記の蓄電装置は、不良発生が抑制されるとともに、エネルギー密度が確保され、生産性が高い。
【０００７】
上記の第１の蓄電装置においては、負極シートの角部が配置されたケースの内壁の角部に正極シートの角部が配置され、ケースの内壁の角部に配置された正極シートの角部の曲率半径がｒ２であり、負極シートの角部及び正極シートの角部が配置されたケースの内壁の角部の周りにおける正極シートの直線部と負極シートの直線部とのクリアランスがｂである場合に、下記式（２）をさらにみたしていてもよい。
０．９（ｒ２＋ｂ）≦ｒ１≦１．１（ｒ２＋ｂ）……  （２）
【０００８】
上記の第１の蓄電装置においては、負極シートの角部が配置されたケースの内壁の角部にセパレータの角部が配置され、ケースの内壁の角部に配置されたセパレータの角部の曲率半径がｒ３であり、負極シートの角部が配置されたケースの内壁の角部の周りにおけるセパレータの直線部とケースの内壁の直線部とのクリアランスがｃである場合に、下記式（３）をさらにみたしていてもよい。
０．９（ｒ３＋ｃ）≦Ｒ≦１．１（ｒ３＋ｃ）……  （３）
【０００９】
本明細書が開示する第２の蓄電装置は、電極体と、電極体を収納するケースとを備えている。電極体は、シート状のセパレータと、セパレータを介して対向する位置に形成された正極シートおよび負極シートとが積層されて形成されている。積層方向に垂直な方向の断面において、ケースは内壁の角部を複数有し、ケースの内壁の角部のうちいずれか２つの隣り合う角部に負極シートの角部がそれぞれ配置されている。負極シートの角部が配置されたケースの内壁の角部の曲率半径がＲであり、ケースの内壁の角部に配置された負極シートの角部の曲率半径がｒ１であり、隣り合う方向におけるケースの内壁間の距離がＷであり、隣り合う方向における前記負極シートの幅がｗ１である場合に、下記式（４）をみたしていてもよい。
０．９（ｒ１＋（Ｗ−ｗ１）／２）≦Ｒ≦１．１（ｒ１＋（Ｗ−ｗ１）／２）
……  （４）
【００１０】
本発明者は、また、電極体のうち、ケースの内壁の角部が隣り合う方向におけるケースの幅と負極の幅との差を適切に調整することが、良好な特性を有する蓄電装置を生産性よく製造するために特に有用であることを見出した。上記の蓄電装置によれば、ケースの内壁の角部の少なくともいずれか一つに負極シートの角部が配置されており、その部分において、負極シートの角部の曲率半径ｒ１が、隣り合う方向におけるケースの内壁の幅および負極シートの幅がｗ１に対して上記式（４）をみたしている。負極シートの角部とケースの内壁の角部の大きさが適切な範囲に調整されているため、上記の蓄電装置は、不良発生が抑制されるとともに、エネルギー密度が確保され、生産性が高い。
【００１１】
上記の第２の蓄電装置においては、負極シートの角部が配置されたケースの内壁の角部に正極シートの角部が配置され、ケースの内壁の角部に配置された正極シートの角部の曲率半径がｒ２であり、隣り合う方向における正極シートの幅がｗ２である場合に、下記式（５）をさらにみたしていてもよい。
０．９（ｒ２＋（ｗ１−ｗ２）／２）≦ｒ１≦１．１（ｒ２＋（ｗ１−ｗ２）／２）
……  （５）
【００１２】
上記の第２の蓄電装置においては、負極シートの角部が配置されたケースの内壁の角部にセパレータの角部が配置され、ケースの内壁の角部に配置された前記セパレータの角部の曲率半径がｒ３であり、隣り合う方向における前記セパレータの幅がｗ３である場合に、下記式（６）をさらにみたしていてもよい。
０．９（ｒ３＋（Ｗ−ｗ３）／２）≦Ｒ≦１．１（ｒ３＋（Ｗ−ｗ３）／２）
……  （６）
【００１３】
上記の第１または第２の蓄電装置においては、電極体と、電極体を収納するケースにより二次電池が構成されていてもよい。
【００１４】
本明細書は、また、上記の蓄電装置を搭載した車両を提供する。
【発明の効果】
【００１５】
本発明によれば、不良発生が抑制されるとともに、エネルギー密度が確保され、生産性が高い蓄電装置、およびこの蓄電装置を搭載した車両を提供することができる。
【図面の簡単な説明】
【００１６】
【図１】実施形態に係る蓄電装置の断面図である。
【図２】蓄電装置の電極体を概念的に示す図である。
【図３】蓄電装置のケースおよび電極体の角部およびその周辺の直線部を拡大して示す図である。
【発明を実施するための形態】
【００１７】
本明細書が開示する第１または第２の蓄電装置に係る技術は、例えば、一次電池、二次電池、キャパシタ等の従来公知の蓄電装置に利用することができる。限定されないが、本明細書が開示する蓄電装置に関する技術は、二次電池に好適に用いることができ、この場合、電極体と、電極体を収納するケースにより二次電池が構成される。さらには、リチウム系の二次電池に特に好適に用いることができる。本明細書が開示する蓄電装置は、車両や電気機器等に搭載されていてもよい。
【００１８】
本明細書が開示する第１または第２の蓄電装置は、電極体と、電極体を収納するケースとを備えている。電極体は、シート状のセパレータと、セパレータを介して対向する位置に形成された正極シートおよび負極シートとが積層されて形成されている。蓄電装置は、さらに、電解液、集電端子等を含んでいてもよい。
【００１９】
正極シート、負極シートおよびセパレータとしては、従来公知の蓄電装置に用いられているものを用いることができる。例えば、正極シートまたは負極シートは、集電体と、集電体の表面に形成されている活物質層とを有しており、活物質層は、活物質と、導電助剤と、バインダとを含んでいてもよい。電極の集電体、活物質およびバインダには特に制限がなく、従来公知の蓄電装置等の電極に用いられる材料を用いることができる。
【００２０】
本明細書が開示する第１または第２の蓄電装置においては、電極体およびケースの内壁は、それぞれ直線部と角部を有している。積層方向に垂直な方向の断面において、ケースは内壁の角部を複数有し、ケースの内壁の角部の少なくともいずれか一つに負極シートの角部が配置されている。負極シートの角部が配置されたケースの内壁の角部は、Ｒ形状を有している。また、電極体のうち、少なくともケースの内壁の角部に配置された負極シートの角部は、Ｒ形状を有している。負極シートの角部が配置されたケースの内壁の角部に、さらに配置された正極シートまたはセパレータが配置される場合には、これらの角部はＲ形状を有していてもよい。
【００２１】
負極シートの角部が配置されたケースの内壁の角部の曲率半径がＲであり、ケースの内壁の角部に配置された負極シートの角部の曲率半径がｒ１であり、負極シートの角部が配置されたケースの内壁の角部の周りにおける負極シートの直線部とケースの内壁の直線部とのクリアランスがａである場合に、第１の蓄電装置は、上記式（１）をみたしている。さらに、ケースの内壁の角部に配置された正極シートの角部の曲率半径がｒ２であり、負極シートの角部及び正極シートの角部が配置されたケースの内壁の角部の周りにおける正極シートの直線部と負極シートの直線部とのクリアランスがｂである場合に、第１の蓄電装置は、上記式（２）をみたしていてもよい。また、負極シートの角部が配置されたケースの内壁の角部にセパレータの角部が配置され、ケースの内壁の角部に配置されたセパレータの角部の曲率半径がｒ３であり、負極シートの角部が配置されたケースの内壁の角部の周りにおけるセパレータの直線部とケースの内壁の直線部とのクリアランスがｃである場合に、第１の蓄電装置は、上記式（３）をみたしていてもよい。
【００２２】
また、隣り合う方向におけるケースの内壁間の距離がＷであり、隣り合う方向における負極シートの幅がｗ１である場合に、第２の蓄電装置は、上記式（４）をみたしている。なお、上記式（４）において、（Ｗ−ｗ１）／２は、隣り合う方向における負極シートの両端の直線部とケースの内壁の直線部とのクリアランスの平均値を示している。さらに、隣り合う方向における正極シートの幅がｗ２である場合に、第２の蓄電装置は、上記式（５）をみたしていてもよい。なお、上記式（５）において、（ｗ１−ｗ２）／２は、隣り合う方向における負極シートの両端の直線部と正極シートの両端の直線部とのクリアランスの平均値を示している。また、隣り合う方向におけるセパレータの幅がｗ３である場合に、第２の蓄電装置は、上記式（６）をみたしていてもよい。なお、上記式（６）において、（Ｗ−ｗ３）／２は、隣り合う方向におけるセパレータの両端の直線部とケースの内壁の直線部とのクリアランスの平均値を示している。
【００２３】
本明細書が開示する蓄電装置は、上記の第１の蓄電装置に係る構成と、第２の蓄電装置に係る構成の少なくとも一方を有していればよく、１つの蓄電装置が、第１の蓄電装置に係る構成と第２の蓄電装置に係る構成の双方を有していてもよい。
【００２４】
図１〜３に、本明細書が開示する第１および第２の蓄電装置の双方の構成を備えた蓄電装置１を例示して、より具体的に説明する。図１は、蓄電装置１の断面図である。蓄電装置１は、積層型のリチウムイオン二次電池である。蓄電装置１は、電極体１０と、ケース１４と、集電端子１２３，１３３を備えている。ケース１４は、電極体１０を収容する本体１４１と、蓋１４２とを備えている。集電端子１２３，１３３は、蓋１４２を貫通している。電極体１０は、蓄電装置１の製造工程において、図１に示すｚ軸の負方向に本体１４１に収容され、蓋１４２によって、ケース１４の内部は密閉されている。電極体１０は、ケース１４内において、電解液に浸漬されている。
【００２５】
図１および図２に示すように、電極体１０は、シート状のセパレータ１１と、負極シート１２と、正極シート１３とを備えている。負極シート１２と正極シート１３は、セパレータ１１を介して対向する位置に形成されている。セパレータ１１を介して、負極シート１２と正極シート１３が図１，２に示すｘ方向に交互に積層されている。さらに、セパレータ１１は、電極体１０の最も外側の面（図１，２に示すｙｚ平面に平行な最外面）にも配置されている。電極体１０の積層方向に垂直な方向の断面（図１，２に示すｙｚ平面に平行な断面）において、ケース１４は、その内壁において、ｙ方向に隣り合う角部１４１ａ，１４１ｃを有している。また、セパレータ１１は、電極体１０の積層方向に垂直な方向の断面において、ｙ方向に隣り合う角部１１ａ，１１ｃを有している。また、負極シート１２は、電極体１０の積層方向に垂直な方向の断面において、ｙ方向に隣り合う角部１２ａ，１２ｃを有している。また、正極シート１３は、電極体１０の積層方向に垂直な方向の断面において、ｙ方向に隣り合う角部１３ａ，１３ｃを有している。
【００２６】
負極シート１２は、集電体１２１と、集電体１２１の両面に形成された負極活物質層１２２とを備えている。正極シート１３は、集電体１３１と、集電体１３１の両面に形成された正極活物質層１３２とを備えている。図１に示すように、負極シート１２の集電体１２１は、集電端子１２３に接続されており、正極シート１３の集電体１３１は、集電端子１３３に接続されている。
【００２７】
図１および図２に示すように、負極シート１２は、ｙ方向およびｚ方向にセパレータ１１よりも小さくなっている。正極シート１３は、ｙ方向およびｚ方向に負極シート１２よりも小さくなっている。角部１２ａ，１２ｃの隣り合う方向（ｙ方向）における負極シート１２の幅はｗ１である。角部１３ａ，１３ｃの隣り合う方向（ｙ方向）における正極シートの幅はｗ２である。角部１１ａ，１１ｃの隣り合う方向（ｙ方向）におけるセパレータの幅はｗ３である。角部１４１ａ，１４１ｃの隣り合う方向（ｙ方向）におけるケース１４の内壁間の距離はＷである。ｗ１，ｗ２，ｗ３，Ｗは、ｗ２＜ｗ１＜ｗ３＜Ｗをみたしている。
【００２８】
図３は、セパレータ１１の角部１１ａ、負極シート１２の角部１２ａおよび正極シート１３の角部１３ａが配置されたケース１４の内壁の角部１４１ａの周りにおけるセパレータ１１、負極シート１２、正極シート１３およびケース１４の内壁の直線部を拡大して図示している。図３に示すように、角部１１ａ、角部１２ａ、角部１３ａ、および角部１４１ａは、Ｒ形状を有しており、その曲率半径は、それぞれ、ｒ１，ｒ２，ｒ３，Ｒである。また、角部１４１ａの周りにおける、負極シート１２の直線部１２ｂと本体１４１の内壁の直線部１４１ｂとのクリアランスはａである。角部１４１ａの周りにおける、負極シート１２の直線部１２ｂと正極シート１３の直線部１３ｂとのクリアランスはｂである。角部１４１ａの周りにおける、セパレータ１１の直線部１１ｂと本体１４１の内壁の直線部１４１ｂとのクリアランスはｃである。ｒ１，ｒ２，ｒ３，Ｒ，ａ，ｂおよびｃは、上記式（１）〜（３）をみたしている。
【００２９】
また、図示していないが、図１に示すセパレータ１１の角部１１ｃ、負極シート１２の角部１２ｃおよび正極シート１３の角部１３ｃが配置されたケース１４の内壁の角部１４１ｃの周りにおける直線部においても、負極シート１２の直線部と本体１４１の内壁の直線部とのクリアランスはａであり、負極シート１２の直線部と正極シート１３の直線部とのクリアランスはｂであり、セパレータ１１の直線部と本体１４１の内壁の直線部とのクリアランスはｃである。このため、ａ，ｂ，ｃは、ｗ１，ｗ２，ｗ３，Ｗを用いて表すことができ、ａ＝（Ｗ−ｗ１）／２、ｂ＝（ｗ１−ｗ２）／２、ｃ＝（Ｗ−ｗ３）／２である。これを上記式（１）〜（３）に用いると、上記式（４）〜（６）となる。すなわち、ｗ１，ｗ２，ｗ３，Ｗは、上記式（４）〜（６）をみたしている。
【００３０】
負極シート１２とケース１４の内壁とのクリアランスａは、蓄電装置１の製造工程において、セパレータ１１、負極シート１２および正極シート１３を積層して電極体１０とする際の積層公差や、負極シート１２の電極幅の公差を加味した上で、蓄電装置１の不良発生が抑制され、かつエネルギー密度が確保され得る値に設定される。ケース１４の内壁と、負極シート１２とのクリアランスが十分でない場合には、蓄電装置１の不良発生の原因となる。逆に、クリアランスが過剰である場合には、ケース１４内のデッドスペースが多くなり、蓄電装置１のエネルギー密度が低下する。蓄電装置１は、上記式（１）をみたしており、負極シート１２とケース１４の内壁とのクリアランスが適切であるため、不良発生が抑制されるとともに、エネルギー密度が確保され、生産性が高い。また、蓄電装置１は、上記式（４）をみたしており、隣り合う２つの角部１４１ａ，１４１ｃの双方の周りにおいて上記式（１）をみたすように、負極シート１２をケース１４の内壁に対して配置することができる。
【００３１】
さらに、蓄電装置１は、上記式（２）をみたしており、負極シート１２と正極シート１３とのクリアランスも適切であるため、より一層、不良発生が抑制されるとともに、エネルギー密度が確保され、生産性が高いという効果を確実に得ることができる。特に、蓄電装置１は、リチウムイオン二次電池であり、リチウムの析出に起因する内部短絡の発生をより確実に防止するために、負極シート１２と正極シート１３とが対向する箇所において、正極活物質層１３２の存在位置には必ず負極活物質層１２２が対向するような構造を有していることが好ましい。蓄電装置１によれば、上記式（２）をみたしており、クリアランスが適切であるため、リチウムの析出に起因する内部短絡の発生をより確実に防止することができる。また、蓄電装置１は、上記式（３）をみたしており、セパレータ１１とケース１４の内壁とのクリアランスも適切であるため、より一層、エネルギー密度が高くなっている。また、蓄電装置１は、上記式（５）および（６）をみたしており、隣り合う２つの角部１４１ａ，１４１ｃの双方の周りにおいて上記式（２）をみたすように電極体１０を形成し、さらに上記式（３）をみたすように電極体１０をケース１４の内壁に対して配置することができる。
【００３２】
なお、蓄電装置１は、上記式（１）〜（６）の全てをみたしているが、本明細書に開示する第１の蓄電装置は、少なくとも上記式（１）をみたしていればよく、第２の蓄電装置は、少なくとも上記式（４）をみたしていればよい。電極体のうち、負極シートとケースの内壁とのクリアランスを適切に調整することが、良好な特性を有する蓄電装置を生産性よく製造するために特に有用であるため、上記式（１）または（４）のいずれか一方のみをみたす場合であっても、不良発生が抑制されるとともに、エネルギー密度が確保され、生産性が高い蓄電装置を提供することができる。
【００３３】
以上、本発明の実施形態および実施例について詳細に説明したが、これらは例示に過ぎず、特許請求の範囲を限定するものではない。特許請求の範囲に記載の技術には、以上に例示した具体例を様々に変形、変更したものが含まれる。
【００３４】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３５】
１        蓄電装置
１０      電極体
１１      セパレータ
１１ａ    セパレータの角部
１１ｂ    セパレータの直線部
１２      負極シート
１２ａ    負極シートの角部
１２ｂ    負極シートの直線部
１３      正極シート
１３ａ    正極シートの角部
１３ｂ    正極シートの直線部
１４      ケース
１４１    本体
１４１ａ  ケース本体の内壁の角部
１４１ｂ  ケース本体の内壁の直線部
１４２    蓋
１２１，１３１  集電体
１２２  負極活物質層
１２３，１３３  集電端子
１３２  正極活物質層
【図１】
2013134881.tif 000003
【図２】
2013134881.tif 000004
【図３】
2013134881.tif 000005